(57)【要約】  電力変換装置は、基板上に設けられた半導体素子と、基板上に設けられ、一端が接地側ノードに接続され、他端が基板の検出ノードに接続され、基板の温度を検出するためのサーミスタ素子と、一端が接地側ノードに接続され、他端が接地に接続された電流検出用抵抗と、電流検出用抵抗の他端の第１の電位及び接地側ノードの第２の電位を検出し、第１の検出信号を出力する第１の電圧検出部と、第１の検出信号に基づいて、半導体素子を制御する制御部と、一端が基準電位に接続され、他端が検出ノードに接続された温度検出用抵抗と、検出ノードの第３の電位に基づいて温度を検出し、検出した温度の情報を含む温度情報信号を出力する温度検出部と、を備える。
2017037780.tif 000002
【特許請求の範囲】
【請求項１】
基板上に設けられた半導体素子であって、前記基板の出力ノードに接続された出力部と、前記基板の第１の制御ノードに接続された第１の入力部と、前記基板の第２の制御ノードに接続された第２の入力部と、前記基板の電源側ノードに接続された第１の駆動電流ノードと、前記基板の接地側ノードに接続された第２の駆動電流ノードと、を有する半導体素子と、
前記基板上に設けられ、一端が前記接地側ノードに接続され、他端が前記基板の検出ノードに接続され、前記基板の温度を検出するためのサーミスタ素子と、
一端が前記接地側ノードに接続され、他端が接地に接続された電流検出用抵抗と、
前記電流検出用抵抗の他端の第１の電位及び前記接地側ノードの第２の電位を検出し、前記第１の電位と前記第２の電位の第１の電位差に応じた第１の検出信号を出力する第１の電圧検出部と、
前記第１の検出信号に基づいて、第１の制御信号を前記第１の制御ノードを介して前記第１の入力部に出力し、且つ、第２の制御信号を前記第２の制御ノードを介して前記第２の入力部に出力して、前記半導体素子を制御する制御部と、
一端が基準電位に接続され、他端が前記検出ノードに接続された温度検出用抵抗と、
前記検出ノードの第３の電位に基づいて温度を検出し、検出した温度の情報を含む温度情報信号を出力する温度検出部と、を備える
ことを特徴とする電力変換装置。
【請求項２】
前記半導体素子は、
前記第１の駆動電流ノードである一端と、前記出力部に接続された他端と、前記第１の入力部であるゲートと、を有する第１のトランジスタと、
前記出力部に接続された一端と、前記第２の駆動電流ノードである他端と、前記第２の入力部であるゲートと、を有する第２のトランジスタと、を備え、
前記制御部は、
前記第１の検出信号に基づいて、第１の制御信号を前記第１の制御ノードを介して前記第１のトランジスタのゲートに出力して、前記第１のトランジスタを制御し、且つ、第２の制御信号を前記第２の制御ノードを介して前記第２のトランジスタのゲートに出力して、前記第２のトランジスタを制御する
ことを特徴とする請求項１に記載の電力変換装置。
【請求項３】
前記温度検出部は、
前記検出ノードの前記第３の電位が入力され且つ前記第１の検出信号が入力され、
前記第３の電位と前記第１の電位差に基づいて前記サーミスタ素子の抵抗値を取得し、前記サーミスタ素子の抵抗値に対応する温度を検出する
ことを特徴とする請求項２に記載の電力変換装置。
【請求項４】
前記温度検出部は、
前記第３の電位と接地電位との電位差から前記第１の電位差を減算した第２の電位差を取得し、
前記基準電位と前記第３の電位との電位差を前記温度検出用抵抗の抵抗値で除算して前記サーミスタ素子に流れる電流の電流値を取得し、
前記第２の電位差を前記電流値で除算した値を前記サーミスタ素子の抵抗値として取得する
ことを特徴とする請求項３に記載の電力変換装置。
【請求項５】
前記接地側ノードの前記第２の電位及び前記検出ノードの前記第３の電位を検出する第２の電圧検出部をさらに備え、
前記温度検出部は、
前記第２の電圧検出部から前記第２及び第３の電位の情報を含む信号が入力され、
前記第３の電位と前記第２の電位とに基づいて前記サーミスタ素子の抵抗値を取得し、
前記サーミスタ素子の抵抗値に対応する温度を検出することを特徴とする請求項２に記載の電力変換装置。
【請求項６】
前記温度検出部は、
前記第３の電位と前記第２の電位との第２の電位差を取得し、
前記基準電位と前記第３の電位との電位差を前記温度検出用抵抗の抵抗値で除算して前記サーミスタ素子に流れる電流の電流値を取得し、
前記第２の電位差を前記サーミスタ素子に流れる電流の前記電流値で除算した値を前記サーミスタ素子の抵抗値として取得する
ことを特徴とする請求項５に記載の電力変換装置。
【請求項７】
前記電流検出用抵抗の他端の前記第１の電位及び前記検出ノードの前記第３の電位を検出する第２の電圧検出部をさらに備え、
前記温度検出部は、
前記第２の電圧検出部から前記第１及び第３の電位の情報を含む信号が入力され、
前記第１の電位と前記第３の電位に基づいて前記サーミスタ素子の抵抗値を取得し、前記サーミスタ素子の抵抗値に対応する温度を検出する
ことを特徴とする請求項２に記載の電力変換装置。
【請求項８】
前記温度検出部は、
前記第３の電位と前記第１の電位との電位差を取得し、
前記基準電位と前記第３の電位との電位差を前記温度検出用抵抗の抵抗値で除算して前記サーミスタ素子に流れる電流の電流値を取得し、
前記第３の電位と前記第１の電位との前記電位差を前記電流値で除算した値を前記サーミスタ素子の抵抗値として取得することを特徴とする請求項７に記載の電力変換装置。
【請求項９】
前記電流検出用抵抗の他端の前記第１の電位及び前記検出ノードの前記第３の電位を検出する第２の電圧検出部をさらに備え、
前記温度検出部は、
前記第２の電圧検出部から前記第１及び第３の電位の情報を含む信号が入力され且つ前記第１の検出信号が入力され、
前記第１の電位、前記第３の電位、及び前記第１の電位差に基づいて前記サーミスタ素子の抵抗値を取得し、
前記サーミスタ素子の抵抗値に対応する温度を検出することを特徴とする請求項２に記載の電力変換装置。
【請求項１０】
前記温度検出部は、
前記第３の電位と前記第１の電位との電位差から前記第１の電位差を減算した第２の電位差を取得し、
前記基準電位と前記第３の電位との電位差を前記温度検出用抵抗の抵抗値で除算して前記サーミスタ素子に流れる電流の電流値を取得し、
前記第２の電位差を前記電流値で除算した値を前記サーミスタ素子の抵抗値として取得することを特徴とする請求項９に記載の電力変換装置。
【請求項１１】
前記温度検出用抵抗の抵抗値は、前記電流検出用抵抗の抵抗値よりも、大きく、常温における前記サーミスタ素子の抵抗値は、前記温度検出用抵抗の抵抗値よりも、大きいことを特徴とする請求項２に記載の電力変換装置。
【請求項１２】
前記制御部は、
前記第１の検出信号に基づいて前記電流検出用抵抗に流れる第１の電流を取得し、この第１の電流の値に基づいて、前記第１の制御信号を前記第１の制御ノードを介して前記第１のトランジスタのゲートに出力して、前記第１のトランジスタを制御し、且つ、前記第２の制御信号を前記第２の制御ノードを介して前記第２のトランジスタのゲートに出力して、前記第２のトランジスタを制御する
ことを特徴とする請求項２に記載の電力変換装置。
【請求項１３】
前記第１のトランジスタは、前記第１のトランジスタの一端であるドレインが前記電源側ノードに接続され、前記第１のトランジスタの他端であるソースが前記出力ノードに接続された第１のｎＭＯＳトランジスタであり、
前記第２のトランジスタは、前記第２のトランジスタの一端であるドレインが前記出力ノードに接続され、前記第２のトランジスタの他端であるソースが前記接地側ノードに接続された第２のｎＭＯＳトランジスタである
ことを特徴とする請求項２に記載の電力変換装置。
【請求項１４】
前記電源ノードは、電源電位に接続されていることを特徴とする請求項２に記載の電力変換装置。
【請求項１５】
基板上に設けられた半導体素子であって、前記基板の出力ノードに接続された出力部と、前記基板の第１の制御ノードに接続された第１の入力部と、前記基板の第２の制御ノードに接続された第２の入力部と、前記基板の電源側ノードに接続された第１の駆動電流ノードと、前記基板の接地側ノードに接続された第２の駆動電流ノードと、を有する半導体素子と、
前記基板上に設けられ、一端が前記接地側ノードに接続され、他端が前記基板の検出ノードに接続され、前記基板の温度を検出するためのサーミスタ素子と、を備えることを特徴とする半導体装置。
【発明の詳細な説明】
【技術分野】
【０００１】
本発明は、電力変換装置、および、半導体装置に関する発明である。
【背景技術】
【０００２】
電力変換装置として、基板上にＭＯＳＦＥＴ等のパワーモジュールが設けられたものが知られている（例えば、特開２０１３−２６０１０、特開２００８−１１３５０９参照）。【０００３】
このような電力変換装置１００Ａは、トランジスタＱ１〜Ｑ４と、基板Ｘの温度を測定するためのサーミスタ素子ＴＨと、サーミスタ素子の温度を検出する温度検出部ＴＤＣと、抵抗ＲＩの電圧を検出する電圧検出部ＶＣと、トランジスタＱ１〜Ｑ４を制御する制御部ＣＯＮと、を備える（図６）。【０００４】
サーミスタ素子ＴＨは、トランジスタＱ１〜Ｑ４とともに基板Ｘ上に設けられ、サーミスタ素子ＴＨの一端が該基板ＸのノードＮＤ１を介して温度検出部ＴＤＣに接続され、サーミスタ素子ＴＨの他端が該基板ＸのノードＮＤ２を介して接地されている（図６）。【０００５】
そして、温度検出部ＴＤＣが検出した電圧に基づいて、サーミスタ素子ＴＨの抵抗値に対応した温度が検出される。【０００６】
上述の従来の電力変換装置１００Ａでは、基板Ｘに設けられたサーミスタ素子ＴＨの電圧の検出のために、基板Ｘに独立した２つのノードＮＤ１、ＮＤ２が必要になる。【０００７】
したがって、この電力変換装置１００Ａでは、基板Ｘに設けられたサーミスタ素子ＴＨの電圧の検出のために、基板Ｘのノード数が増加し（図６では２個のノードＮＤ１、ＮＤ２）、製造コストが増加する問題がある。
【発明の概要】
【発明が解決しようとする課題】
【０００８】
本発明では、基板のノード数を削減して、その製造コストを低減することが可能な電力変換装置を提供することを目的とする。
【課題を解決するための手段】
【０００９】
本発明の一態様に係る実施例に従った電力変換装置は、
基板上に設けられた半導体素子であって、前記基板の出力ノードに接続された出力部と、前記基板の第１の制御ノードに接続された第１の入力部と、前記基板の第２の制御ノードに接続された第２の入力部と、前記基板の電源側ノードに接続された第１の駆動電流ノードと、前記基板の接地側ノードに接続された第２の駆動電流ノードと、を有する半導体素子と、
前記基板上に設けられ、一端が前記接地側ノードに接続され、他端が前記基板の検出ノードに接続され、前記基板の温度を検出するためのサーミスタ素子と、
一端が前記接地側ノードに接続され、他端が接地に接続された電流検出用抵抗と、
前記電流検出用抵抗の他端の第１の電位及び前記接地側ノードの第２の電位を検出し、前記第１の電位と前記第２の電位の第１の電位差に応じた第１の検出信号を出力する第１の電圧検出部と、
前記第１の検出信号に基づいて、第１の制御信号を前記第１の制御ノードを介して前記第１の入力部に出力し、且つ、第２の制御信号を前記第２の制御ノードを介して前記第２の入力部に出力して、前記半導体素子を制御する制御部と、
一端が基準電位に接続され、他端が前記検出ノードに接続された温度検出用抵抗と、
前記検出ノードの第３の電位に基づいて温度を検出し、検出した温度の情報を含む温度情報信号を出力する温度検出部と、を備える
ことを特徴とする。【００１０】
前記電力変換装置において、
前記半導体素子は、
前記第１の駆動電流ノードである一端と、前記出力部に接続された他端と、前記第１の入力部であるゲートと、を有する第１のトランジスタと、
前記出力部に接続された一端と、前記第２の駆動電流ノードである他端と、前記第２の入力部であるゲートと、を有する第２のトランジスタと、を備え、
前記制御部は、
前記第１の検出信号に基づいて、第１の制御信号を前記第１の制御ノードを介して前記第１のトランジスタのゲートに出力して、前記第１のトランジスタを制御し、且つ、第２の制御信号を前記第２の制御ノードを介して前記第２のトランジスタのゲートに出力して、前記第２のトランジスタを制御する
ことを特徴とする。【００１１】
前記電力変換装置において、
前記温度検出部は、
前記検出ノードの前記第３の電位が入力され且つ前記第１の検出信号が入力され、
前記第３の電位と前記第１の電位差に基づいて前記サーミスタ素子の抵抗値を取得し、前記サーミスタ素子の抵抗値に対応する温度を検出することを特徴とする。【００１２】
前記電力変換装置において、
前記温度検出部は、
前記第３の電位と接地電位との電位差から前記第１の電位差を減算した第２の電位差を取得し、
前記基準電位と前記第３の電位との電位差を前記温度検出用抵抗の抵抗値で除算して前記サーミスタ素子に流れる電流の電流値を取得し、
前記第２の電位差を前記電流値で除算した値を前記サーミスタ素子の抵抗値として取得する
ことを特徴とする。【００１３】
前記電力変換装置において、
前記接地側ノードの前記第２の電位及び前記検出ノードの前記第３の電位を検出する第２の電圧検出部をさらに備え、
前記温度検出部は、
前記第２の電圧検出部から前記第２及び第３の電位の情報を含む信号が入力され、
前記第３の電位と前記第２の電位とに基づいて前記サーミスタ素子の抵抗値を取得し、
前記サーミスタ素子の抵抗値に対応する温度を検出することを特徴とする。【００１４】
前記電力変換装置において、
前記温度検出部は、
前記第３の電位と前記第２の電位との第２の電位差を取得し、
前記基準電位と前記第３の電位との電位差を前記温度検出用抵抗の抵抗値で除算して前記サーミスタ素子に流れる電流の電流値を取得し、
前記第２の電位差を前記サーミスタ素子に流れる電流の前記電流値で除算した値を前記サーミスタ素子の抵抗値として取得する
ことを特徴とする。【００１５】
前記電力変換装置において、
前記電流検出用抵抗の他端の前記第１の電位及び前記検出ノードの前記第３の電位を検出する第２の電圧検出部をさらに備え、
前記温度検出部は、
前記第２の電圧検出部から前記第１及び第３の電位の情報を含む信号が入力され、
前記第１の電位と前記第３の電位に基づいて前記サーミスタ素子の抵抗値を取得し、前記サーミスタ素子の抵抗値に対応する温度を検出する
ことを特徴とする。【００１６】
前記電力変換装置において、
前記温度検出部は、
前記第３の電位と前記第１の電位との電位差を取得し、
前記基準電位と前記第３の電位との電位差を前記温度検出用抵抗の抵抗値で除算して前記サーミスタ素子に流れる電流の電流値を取得し、
前記第３の電位と前記第１の電位との前記電位差を前記電流値で除算した値を前記サーミスタ素子の抵抗値として取得することを特徴とする。【００１７】
前記電力変換装置において、
前記電流検出用抵抗の他端の前記第１の電位及び前記検出ノードの前記第３の電位を検出する第２の電圧検出部をさらに備え、
前記温度検出部は、
前記第２の電圧検出部から前記第１及び第３の電位の情報を含む信号が入力され且つ前記第１の検出信号が入力され、
前記第１の電位、前記第３の電位、及び前記第１の電位差に基づいて前記サーミスタ素子の抵抗値を取得し、
前記サーミスタ素子の抵抗値に対応する温度を検出することを特徴とする。【００１８】
前記電力変換装置において、
前記温度検出部は、
前記第３の電位と前記第１の電位との電位差から前記第１の電位差を減算した第２の電位差を取得し、
前記基準電位と前記第３の電位との電位差を前記温度検出用抵抗の抵抗値で除算して前記サーミスタ素子に流れる電流の電流値を取得し、
前記第２の電位差を前記電流値で除算した値を前記サーミスタ素子の抵抗値として取得することを特徴とする。【００１９】
前記電力変換装置において、
前記温度検出用抵抗の抵抗値は、前記電流検出用抵抗の抵抗値よりも、大きく、常温における前記サーミスタ素子の抵抗値は、前記温度検出用抵抗の抵抗値よりも、大きいことを特徴とする。【００２０】
前記電力変換装置において、
前記制御部は、
前記第１の検出信号に基づいて前記電流検出用抵抗に流れる第１の電流を取得し、この第１の電流の値に基づいて、前記第１の制御信号を前記第１の制御ノードを介して前記第１のトランジスタのゲートに出力して、前記第１のトランジスタを制御し、且つ、前記第２の制御信号を前記第２の制御ノードを介して前記第２のトランジスタのゲートに出力して、前記第２のトランジスタを制御する
ことを特徴とする。【００２１】
前記電力変換装置において、
前記第１のトランジスタは、前記第１のトランジスタの一端であるドレインが前記電源側ノードに接続され、前記第１のトランジスタの他端であるソースが前記出力ノードに接続された第１のｎＭＯＳトランジスタであり、
前記第２のトランジスタは、前記第２のトランジスタの一端であるドレインが前記出力ノードに接続され、前記第２のトランジスタの他端であるソースが前記接地側ノードに接続された第２のｎＭＯＳトランジスタである
ことを特徴とする。【００２２】
前記電力変換装置において、
前記電源ノードは、電源電位に接続されていることを特徴とする。【００２３】
本発明の一態様に係る実施例に従った半導体装置は、
基板上に設けられた半導体素子であって、前記基板の出力ノードに接続された出力部と、前記基板の第１の制御ノードに接続された第１の入力部と、前記基板の第２の制御ノードに接続された第２の入力部と、前記基板の電源側ノードに接続された第１の駆動電流ノードと、前記基板の接地側ノードに接続された第２の駆動電流ノードと、を有する半導体素子と、
前記基板上に設けられ、一端が前記接地側ノードに接続され、他端が前記基板の検出ノードに接続され、前記基板の温度を検出するためのサーミスタ素子と、を備えることを特徴とする。
【発明の効果】
【００２４】
本発明の一態様に係る電力変換装置は、基板上に設けられた半導体素子であって、基板の出力ノードに接続された出力部と、基板の第１の制御ノードに接続された第１の入力部と、基板の第２の制御ノードに接続された第２の入力部と、基板の電源側ノードに接続された第１の駆動電流ノードと、基板の接地側ノードに接続された第２の駆動電流ノードと、を有する半導体素子と、基板上に設けられ、一端が接地側ノードに接続され、他端が基板の検出ノードに接続され、基板の温度を検出するためのサーミスタ素子と、一端が接地側ノードに接続され、他端が接地に接続された電流検出用抵抗と、電流検出用抵抗の他端の第１の電位及び接地側ノードの第２の電位を検出し、第１の電位と第２の電位の第１の電位差に応じた第１の検出信号を出力する第１の電圧検出部と、第１の検出信号に基づいて、第１の制御信号を第１の制御ノードを介して第１の入力部に出力し、且つ、第２の制御信号を第２の制御ノードを介して第２の入力部に出力して、半導体素子を制御する制御部と、一端が基準電位に接続され、他端が検出ノードに接続された温度検出用抵抗と、検出ノードの第３の電位に基づいて温度を検出し、検出した温度の情報を含む温度情報信号を出力する温度検出部と、を備える。【００２５】
すなわち、電力変換装置は、サーミスタ素子の他端を接地側ノードに接続して、サーミスタ素子の電圧検出のために接地する基板のノードを、半導体素子（第１、第２のトランジスタ）に流れる電流を検出するための電流検出用抵抗が接続される接地側ノードと併用する。【００２６】
これにより、サーミスタ素子の電圧の検出に用いられる基板のノード数を削減することができる。【００２７】
したがって、本発明に係る電力変換装置は、基板のノード数を削減して、その製造コストを低減することができる。
【図面の簡単な説明】
【００２８】
【図１】図１は、第１の実施形態に係る電力変換装置１００の構成の一例を示す回路図である。
【図２】図２は、第２の実施形態に係る電力変換装置２００の構成の一例を示す回路図である。
【図３】図３は、第３の実施形態に係る電力変換装置３００の構成の一例を示す回路図である。
【図４】図４は、第４の実施形態に係る電力変換装置４００の構成の一例を示す回路図である。
【図５】図５は、第５の実施形態に係る電力変換装置５００の構成の一例を示す回路図である。
【図６】図６は、従来の電力変換装置１００Ａの構成の一例を示す回路図である。
【発明を実施するための最良の形態】
【００２９】
以下、本発明に係る実施形態について図面に基づいて説明する。
【第１の実施形態】
【００３０】
第１の実施形態に係る電力変換装置１００（図１）は、半導体素子Ｚと、サーミスタ素子ＴＨと、電流検出用抵抗ＲＩと、温度検出用抵抗ＲＴと、第１の電圧検出部ＶＣ１と、温度検出部ＴＤＣと、制御部ＣＯＮと、基板Ｘと、を備える。なお、半導体素子Ｚと、サーミスタ素子ＴＨと、基板Ｘとは、半導体装置Ｙを構成する。
【００３１】
基板Ｘは、出力ノードＮＯ、第１の制御ノードＮ１、第２の制御ノードＮ２、電源側ノードＮＳ、及び接地側ノードＮＧを有する。なお、出力ノードＮＯは、出力端子ＴＯＵＴに接続されている。また、電源ノードＮＳは、電源電位ＶＳに接続されている。例えば、この電源側ノードＮＳは、電源電位ＶＳを出力するバッテリ（図示せず）の正極に接続され、このバッテリの負極が接地に接続されている。
【００３２】
半導体素子Ｚは、基板Ｘ上に設けられている。この半導体素子Ｚは、基板Ｘの出力ノードＮＯに接続された出力部Ａと、基板Ｘの第１の制御ノードＮ１に接続された第１の入力部Ｇ１と、基板Ｘの第２の制御ノードＮ２に接続された第２の入力部Ｇ２と、基板Ｘの電源側ノードＮＳに接続された第１の駆動電流ノードＤ１と、基板Ｘの接地側ノードＮＧに接続された第２の駆動電流ノードＤ２と、を有する。半導体素子Ｚの第１、第２の駆動電流ノードＤ１、Ｄ２間には、半導体素子Ｚの駆動電流が流れる。
【００３３】
この半導体素子Ｚは、例えば、図１に示すように、第１のトランジスタＱ１と、第２のトランジスタＱ２と、を備える。
【００３４】
第１のトランジスタＱ１は、第１の駆動電流ノードＤ１である一端（ドレイン）と、出力部Ａに接続された他端（ソース）と、第１の入力部Ｇ１であるゲートと、を有する。
【００３５】
この第１のトランジスタＱ１は、第１のトランジスタＱ１の一端であるドレインが電源側ノードＮＳに接続され、第１のトランジスタＱ１の他端であるソースが出力ノードＮＯに接続された第１のｎＭＯＳトランジスタである。
【００３６】
また、第２のトランジスタＱ２は、出力部Ａに接続された一端（ドレイン）と、第２の駆動電流ノードＤ２である他端（ソース）と、第２の入力部Ｇ２であるゲートと、を有する。
【００３７】
この第２のトランジスタＱ２は、第２のトランジスタＱ２の一端であるドレインが出力ノードＮＯに接続され、第２のトランジスタＱ２の他端であるソースが接地側ノードＮＧに接続された第２のｎＭＯＳトランジスタである。
【００３８】
例えば、これらの第１及び第２のトランジスタＱ１、Ｑ２は、モータ（図示せず）の出力電圧を整流する三相ブリッジ回路を構成する。
【００３９】
また、サーミスタ素子ＴＨは、基板Ｘ上に設けられ、一端が接地側ノードＮＧに接続され、他端が基板Ｘの検出ノードＮＤに接続されている。このサーミスタ素子ＴＨは、基板Ｘの温度を検出するための素子である。
【００４０】
また、電流検出用抵抗ＲＩは、一端が接地側ノードＮＧに接続され、他端が接地に接続されている。この電流検出用抵抗ＲＩは、半導体素子Ｚの駆動電流を検出するための抵抗である。
【００４１】
また、第１の電圧検出部ＶＣ１は、電流検出用抵抗ＲＩの他端の第１の電位Ｖ１及び接地側ノードＮＧの第２の電位Ｖ２を検出し、第１の電位Ｖ１と第２の電位Ｖ２の第１の電位差に応じた第１の検出信号を出力する。
【００４２】
また、温度検出用抵抗ＲＴは、一端が基準電位Ｖｃｃに接続され、他端が検出ノードＮＤに接続されている。この温度検出用抵抗ＲＴは、基板Ｘの温度を検出するための抵抗である。
【００４３】
なお、この温度検出用抵抗ＲＴの抵抗値は、電流検出用抵抗ＲＩの抵抗値よりも、大きくなるように設定されている。さらに、常温におけるサーミスタ素子ＴＨの抵抗値は、この温度検出用抵抗ＲＴの抵抗値よりも、大きくなるように設定されている。
【００４４】
温度検出部ＴＤＣは、検出ノードＮＤの第３の電位Ｖ３に基づいて温度を検出し、検出した温度の情報を含む温度情報信号を出力するようになっている。
【００４５】
制御部ＣＯＮは、第１の検出信号に基づいて、第１の制御信号を第１の制御ノードＮ１を介して第１の入力部Ｇ１に出力し、且つ、第２の制御信号を第２の制御ノードＮ２を介して第２の入力部Ｇ２に出力して、半導体素子Ｚを制御するようになっている。  
【００４６】
特に、図１に示す例では、制御部ＣＯＮは、第１の検出信号に基づいて、第１の制御信号を第１の制御ノードＮ１を介して第１のトランジスタＱ１のゲートに出力して、第１のトランジスタＱ１を制御し、且つ、第２の制御信号を第２の制御ノードＮ２を介して第２のトランジスタＱ２のゲートに出力して、第２のトランジスタＱ２を制御する。
【００４７】
より具体的には、制御部ＣＯＮは、第１の検出信号に基づいて電流検出用抵抗ＲＩに流れる第１の電流を取得する。そして、制御部ＣＯＮは、この第１の電流の値に基づいて、第１の制御信号を第１の制御ノードＮ１を介して第１のトランジスタＱ１のゲートに出力して、第１のトランジスタＱ１を制御し、且つ、第２の制御信号を第２の制御ノードＮ２を介して第２のトランジスタＱ２のゲートに出力して、第２のトランジスタＱ２を制御する。
【００４８】
この場合、制御部ＣＯＮは、例えば、第１のトランジスタＱ１と第２のトランジスタＱ２とが相補的にオンとオフが切り替わるように、第１及び第２のトランジスタＱ１、Ｑ２を制御する。
【００４９】
このようにして、制御部ＣＯＮは、第１の検出信号に基づいて、第１、第２の制御信号により、第１、第２のトランジスタＱ１、Ｑ２を相補的にオンとオフが切り替わるように制御する。
【００５０】
次に、以上のような構成を有する電力変換装置１００の動作の一例について、説明する。
【００５１】
例えば、既述のように、第１の電圧検出部ＶＣ１は、電流検出用抵抗ＲＩの他端の第１の電位Ｖ１及び接地側ノードＮＧの第２の電位Ｖ２を検出し、第１の電位Ｖ１と第２の電位Ｖ２の第１の電位差（電流検出用抵抗ＲＩの電位差）に応じた第１の検出信号を出力する。
【００５２】
そして、制御部ＣＯＮは、例えば、第１の検出信号に基づいて電流検出用抵抗ＲＩに流れる第１の電流を取得する。
【００５３】
なお、電流検出用抵抗ＲＩの抵抗値は、既知の値であるので、第１の電位差（電流検出用抵抗ＲＩの電位差）が第１の検出信号に基づいて取得されれば、この第１の電位差を、電流検出用抵抗ＲＩの抵抗値で除算することにより、電流検出用抵抗ＲＩに流れる第１の電流を取得することができる。  
【００５４】
そして、制御部ＣＯＮは、この第１の電流の値に基づいて、第１の制御信号を第１の制御ノードＮ１を介して第１のトランジスタＱ１のゲートに出力して、第１のトランジスタＱ１を制御し、且つ、第２の制御信号を第２の制御ノードＮ２を介して第２のトランジスタＱ２のゲートに出力して、第２のトランジスタＱ２を制御する。
【００５５】
この場合、制御部ＣＯＮは、例えば、第１の電流値と規定値とを比較した結果に基づいて、第１のトランジスタＱ１と第２のトランジスタＱ２とが相補的にオンとオフが切り替わるように、第１及び第２のトランジスタＱ１、Ｑ２を制御する。
【００５６】
このようにして、制御部ＣＯＮは、第１の検出信号に基づいて、第１、第２の制御信号により、第１、第２のトランジスタＱ１、Ｑ２を相補的にオンとオフが切り替わるように制御する。
【００５７】
一方、既述のように、温度検出部ＴＤＣは、検出ノードＮＤの第３の電位Ｖ３に基づいて温度を検出し、検出した温度の情報を含む温度情報信号を出力する。
【００５８】
具体的には、例えば、温度検出部ＴＤＣは、第３の電位Ｖ３と接地電位との電位差を取得する。なお、この電位差には、サーミスタ素子ＴＨにおける電位差と、電流検出用抵抗ＲＩにおける電位差と、が含まれる。なお、既述のように、電流検出用抵抗ＲＩの抵抗値は、サーミスタ素子ＴＨの抵抗値よりも、十分小さい値である。
【００５９】
さらに、温度検出部ＴＤＣは、基準電位Ｖｃｃと第３の電位Ｖ３との電位差（温度検出用抵抗ＲＴにおける電位差）を温度検出用抵抗ＲＴの抵抗値で除算してサーミスタ素子ＴＨに流れる電流の電流値を取得する。そして、温度検出部ＴＤＣは、第３の電位Ｖ３と接地電位との電位差を、取得した電流値で除算した値を、サーミスタ素子ＴＨの抵抗値として取得する。この場合、電流検出用抵抗ＲＩの抵抗値は、無視している。
【００６０】
このようにして、温度検出部ＴＤＣは、取得したサーミスタ素子ＴＨの抵抗値に対応する温度を検出して、検出した温度の情報を含む温度情報信号を出力する。
【００６１】
以上のように、本発明の一態様に係る電力変換装置１００は、基板Ｘ上に設けられた半導体素子Ｚであって、基板Ｘの出力ノードＮＯに接続された出力部Ａと、基板Ｘの第１の制御ノードＮ１に接続された第１の入力部Ｇ１と、基板Ｘの第２の制御ノードＮ２に接続された第２の入力部Ｇ２と、基板Ｘの電源側ノードＮＳに接続された第１の駆動電流ノードＤ１と、基板Ｘの接地側ノードＮＧに接続された第２の駆動電流ノードＤ２と、を有する半導体素子Ｚと、基板Ｘ上に設けられ、一端が接地側ノードＮＧに接続され、他端が基板Ｘの検出ノードＮＤに接続され、基板Ｘの温度を検出するためのサーミスタ素子ＴＨと、一端が接地側ノードＮＧに接続され、他端が接地に接続された電流検出用抵抗ＲＩと、電流検出用抵抗ＲＩの他端の第１の電位Ｖ１及び接地側ノードＮＧの第２の電位Ｖ２を検出し、第１の電位Ｖ１と第２の電位Ｖ２の第１の電位差に応じた第１の検出信号を出力する第１の電圧検出部ＶＣ１と、第１の検出信号に基づいて、第１の制御信号を第１の制御ノードＮ１を介して第１の入力部Ｇ１に出力し、且つ、第２の制御信号を第２の制御ノードＮ２を介して第２の入力部Ｇ２に出力して、半導体素子Ｚを制御する制御部ＣＯＮと、一端が基準電位Ｖｃｃに接続され、他端が検出ノードＮＤに接続された温度検出用抵抗ＲＴと、検出ノードＮＤの第３の電位Ｖ３に基づいて温度を検出し、検出した温度の情報を含む温度情報信号を出力する温度検出部ＴＤＣと、を備える。
【００６２】
すなわち、電力変換装置１００は、サーミスタ素子ＴＨの他端を接地側ノードＮＧに接続して、サーミスタ素子ＴＨの電圧検出のために接地する基板Ｘのノードを、半導体素子Ｚ（第１、第２のトランジスタＱ１、Ｑ２）に流れる電流を検出するための電流検出用抵抗ＲＩが接続される接地側ノードＮＧと併用する。
【００６３】
これにより、サーミスタ素子ＴＨの電圧の検出に用いられる基板Ｘのノード数を削減することができる（サーミスタ素子ＴＨ用が１個（検出ノードＮＤ）になる）。
【００６４】
したがって、本発明に係る電力変換装置は、基板のノード数を削減して、その製造コストを低減することができる。
【第２の実施形態】
【００６５】
本第２の実施形態では、電力変換装置の構成の他の例について説明する。図２は、第２の実施形態に係る電力変換装置２００の構成の一例を示す回路図である。なお、この図２において、図１と同じ符号は、第１の実施形態と同様の構成を示し、説明を省略する。
【００６６】
第２の実施形態に係る電力変換装置２００（図２）は、第１の実施形態と同様に、半導体素子Ｚと、サーミスタ素子ＴＨと、電流検出用抵抗ＲＩと、温度検出用抵抗ＲＴと、第１の電圧検出部ＶＣ１と、温度検出部ＴＤＣと、制御部ＣＯＮと、基板Ｘと、を備える。
【００６７】
ここで、温度検出部ＴＤＣは、検出ノードＮＤの第３の電位Ｖ３が入力され且つ第１の検出信号が入力されるようになっている。この第２の実施形態では、温度検出部ＴＤＣに第１の検出信号が入力される点が第１の実施形態とは異なる。
【００６８】
そして、温度検出部ＴＤＣは、第３の電位Ｖ３と既述の第１の電位差（第１の電位Ｖ１と第２の電位Ｖの電位差、すなわち電流検出用抵抗ＲＩにおける電位差）に基づいてサーミスタ素子ＴＨの抵抗値を取得する。そして、温度検出部ＴＤＣは、サーミスタ素子ＴＨの抵抗値に対応する温度を検出する。
【００６９】
より、具体的には、例えば、温度検出部ＴＤＣは、第３の電位Ｖ３と接地電位との電位差（サーミスタ素子ＴＨと電流検出用抵抗ＲＩにおける電位差）から第１の電位差（電流検出用抵抗ＲＩにおける電位差）を減算した第２の電位差（サーミスタ素子ＴＨにおける電位差）を取得する。
【００７０】
そして、温度検出部ＴＤＣは、基準電位Ｖｃｃと第３の電位Ｖ３との電位差（温度検出用抵抗ＲＴにおける電位差）を温度検出用抵抗ＲＴの抵抗値で除算してサーミスタ素子ＴＨに流れる電流の電流値を取得する。そして、温度検出部ＴＤＣは、第２の電位差（サーミスタ素子ＴＨにおける電位差）を、取得した電流値で除算した値を、サーミスタ素子ＴＨの抵抗値として取得する。
【００７１】
この電力変換装置２００のその他の構成は、図１に示す電力変換装置１００と同様である。
【００７２】
そして、以上のような構成を有する電力変換装置２００のその他の動作特性は、第１の実施形態と同様である。
【００７３】
すなわち、本第２の実施形態に係る電力変換装置によれば、第１の実施形態と同様に、サーミスタ素子の電圧の検出に用いられる基板のノード数を削減することができる。
【００７４】
したがって、本発明に係る電力変換装置は、基板のノード数を削減して、その製造コストを低減することができる。
【００７５】
特に、既述のように、温度検出部は、検出ノードの第３の電位が入力され且つ第１の検出信号が入力され、第３の電位と第１の電位差（電流検出用抵抗における電位差）に基づいてサーミスタ素子の抵抗値を取得し、サーミスタ素子の抵抗値に対応する温度を検出する。
【００７６】
このように、半導体素子に流れる電流を検出するための電流検出用抵抗の第１の電位差を用いてサーミスタ素子の検出電圧を補正して、サーミスタ素子の抵抗値を正確に取得することにより、基板のノード数を削減しつつ、温度検出の精度を向上させることができる。
【第３の実施形態】
【００７７】
本第３の実施形態では、電力変換装置の構成の他の例について説明する。図３は、第３の実施形態に係る電力変換装置３００の構成の一例を示す回路図である。なお、この図３において、図１と同じ符号は、第１の実施形態と同様の構成を示し、説明を省略する。
【００７８】
この第３の実施形態に係る電力変換装置３００（図３）は、第１の実施形態の電力変換装置１００と比較して、第２の電圧検出部ＶＣ２をさらに備える。
【００７９】
この第２の電圧検出部ＶＣ２は、接地側ノードＮＧの第２の電位Ｖ２及び検出ノードＮＤの第３の電位Ｖ３を検出するようになっている。
【００８０】
ここで、温度検出部ＴＤＣは、第２の電圧検出部ＶＣ２から第２及び第３の電位Ｖ２、Ｖ３の情報を含む信号が入力される。そして、温度検出部ＴＤＣは、第３の電位Ｖ３と第２の電位Ｖ２とに基づいてサーミスタ素子ＴＨの抵抗値を取得する。さらに、温度検出部ＴＤＣは、取得したサーミスタ素子ＴＨの抵抗値に対応する温度を検出する。
【００８１】
より具体的には、例えば、温度検出部ＴＤＣは、第２及び第３の電位Ｖ２、Ｖ３の情報を含む信号に基づいて、第３の電位Ｖ３と第２の電位Ｖ２との第２の電位差（サーミスタ素子ＴＨにおける電位差）を取得する。
【００８２】
そして、温度検出部ＴＤＣは、基準電位Ｖｃｃと第３の電位Ｖ３との電位差（温度検出用抵抗ＲＴにおける電位差）を温度検出用抵抗ＲＴの抵抗値で除算してサーミスタ素子ＴＨに流れる電流の電流値を取得する。そして、温度検出部ＴＤＣは、第２の電位差をサーミスタ素子ＴＨに流れる電流の電流値で除算した値を、サーミスタ素子ＴＨの抵抗値として取得する。
【００８３】
この電力変換装置３００のその他の構成は、図１に示す電力変換装置１００と同様である。
【００８４】
そして、以上のような構成を有する電力変換装置３００のその他の動作特性は、第１の実施形態と同様である。
【００８５】
すなわち、本第３の実施形態に係る電力変換装置によれば、第１の実施形態と同様に、サーミスタ素子の電圧の検出に用いられる基板のノード数を削減することができる。
【００８６】
したがって、本発明に係る電力変換装置は、基板のノード数を削減して、その製造コストを低減することができる。
【第４の実施形態】
【００８７】
本第４の実施形態では、電力変換装置の構成の他の例について説明する。図４は、第４の実施形態に係る電力変換装置４００の構成の一例を示す回路図である。なお、この図４において、図３と同じ符号は、第３の実施形態と同様の構成を示し、説明を省略する。
【００８８】
この第４の実施形態に係る電力変換装置４００（図４）は、第３の実施形態と同様に、半導体素子Ｚと、サーミスタ素子ＴＨと、電流検出用抵抗ＲＩと、温度検出用抵抗ＲＴと、第１の電圧検出部ＶＣ１と、第２の電圧検出部ＶＣ２と、温度検出部ＴＤＣと、制御部ＣＯＮと、基板Ｘと、を備える。
【００８９】
本実施形態においては、第２の電圧検出部ＶＣ２は、電流検出用抵抗ＲＩの他端の第１の電位Ｖ１及び検出ノードＮＤの第３の電位Ｖ３を検出するようになっている。この第４の実施形態では、第２の電圧検出部ＶＣ２が電流検出用抵抗ＲＩの他端の第１の電位Ｖ１を検出する点が第３の実施形態とは異なる。
【００９０】
ここで、温度検出部ＴＤＣは、第２の電圧検出部ＶＣ２から第１及び第３の電位Ｖ１、Ｖ３の情報を含む信号が入力されるようになっている。
【００９１】
さらに、温度検出部ＴＤＣは、第１及び第３の電位Ｖ１、Ｖ３の情報を含む信号に基づいて、第１の電位Ｖ１と第３の電位Ｖ３に基づいてサーミスタ素子ＴＨの抵抗値を取得し、サーミスタ素子ＴＨの抵抗値に対応する温度を検出するようになっている。
【００９２】
具体的には、例えば、温度検出部ＴＤＣは、第１及び第３の電位Ｖ１、Ｖ３の情報を含む信号に基づいて、第３の電位Ｖ３と第１の電位Ｖ１との電位差（サーミスタ素子ＴＨと電流検出用抵抗ＲＩにおける電位差）を取得する。
【００９３】
そして、温度検出部ＴＤＣは、基準電位Ｖｃｃと第３の電位Ｖ３との電位差を温度検出用抵抗ＲＴの抵抗値で除算してサーミスタ素子ＴＨに流れる電流の電流値を取得する。
【００９４】
そして、温度検出部ＴＤＣは、第３の電位Ｖ３と第１の電位Ｖ１との電位差を、取得した電流値で除算した値を、サーミスタ素子ＴＨの抵抗値として取得する。
【００９５】
この電力変換装置４００のその他の構成は、図３に示す電力変換装置３００と同様である。
【００９６】
そして、以上のような構成を有する電力変換装置４００のその他の動作特性は、第３の実施形態と同様である。
【００９７】
すなわち、本第４の実施形態に係る電力変換装置によれば、第３の実施形態と同様に、サーミスタ素子の電圧の検出に用いられる基板のノード数を削減することができる。
【００９８】
したがって、本発明に係る電力変換装置は、基板のノード数を削減して、その製造コストを低減することができる。
【第５の実施形態】
【００９９】
本第５の実施形態では、電力変換装置の構成の他の例について説明する。図５は、第５の実施形態に係る電力変換装置５００の構成の一例を示す回路図である。なお、この図５において、図４と同じ符号は、第４の実施形態と同様の構成を示し、説明を省略する。
【０１００】
この第５の実施形態に係る電力変換装置５００（図５）は、第４の実施形態と同様に、半導体素子Ｚと、サーミスタ素子ＴＨと、電流検出用抵抗ＲＩと、温度検出用抵抗ＲＴと、第１の電圧検出部ＶＣ１と、第２の電圧検出部ＶＣ２と、温度検出部ＴＤＣと、制御部ＣＯＮと、基板Ｘと、を備える。
【０１０１】
本実施形態においては、第４の実施形態と同様に、第２の電圧検出部ＶＣ２は、電流検出用抵抗ＲＩの他端の第１の電位Ｖ１及び検出ノードＮＤの第３の電位Ｖ３を検出するようになっている。
【０１０２】
ここで、温度検出部ＴＤＣは、第２の電圧検出部ＶＣ２から第１及び第３の電位Ｖ１、Ｖ３の情報を含む信号が入力され、且つ、第１の電圧検出部ＶＣ１から第１の検出信号が入力されるようになっている。この第５の実施形態では、温度検出部ＴＤＣに第１の検出信号が入力される点が第４の実施形態とは異なる。
【０１０３】
そして、温度検出部ＴＤＣは、第１の電位Ｖ１、第３の電位Ｖ３、及び第１の電位差に基づいて、サーミスタ素子ＴＨの抵抗値を取得する。さらに、温度検出部ＴＤＣは、サーミスタ素子ＴＨの抵抗値に対応する温度を検出する。
【０１０４】
より、具体的には、例えば、温度検出部ＴＤＣは、第３の電位Ｖ３と第１の電位Ｖ１との電位差（サーミスタ素子ＴＨと電流検出用抵抗ＲＩにおける電位差）から第１の電位差（電流検出用抵抗ＲＩにおける電位差）を減算した第２の電位差（サーミスタ素子ＴＨにおける電位差）を取得する。
【０１０５】
そして、温度検出部ＴＤＣは、基準電位Ｖｃｃと第３の電位Ｖ３との電位差（温度検出用抵抗ＲＴにおける電位差）を温度検出用抵抗ＲＴの抵抗値で除算してサーミスタ素子ＴＨに流れる電流の電流値を取得する。
【０１０６】
そして、温度検出部ＴＤＣは、第２の電位差を、取得した電流値で除算した値を、サーミスタ素子ＴＨの抵抗値として取得する。  
【０１０７】
この電力変換装置５００のその他の構成は、図４に示す電力変換装置４００と同様である。
【０１０８】
そして、以上のような構成を有する電力変換装置５００のその他の動作特性は、第４の実施形態と同様である。
【０１０９】
すなわち、本第５の実施形態に係る電力変換装置によれば、第４の実施形態と同様に、サーミスタ素子の電圧の検出に用いられる基板のノード数を削減することができる。
【０１１０】
したがって、本発明に係る電力変換装置は、基板のノード数を削減して、その製造コストを低減することができる。
【０１１１】
特に、本実施形態では、既述のように、温度検出部は、検出ノードの第３の電位が入力され且つ第１の検出信号が入力され、第３の電位と第１の電位差（電流検出用抵抗における電位差）に基づいてサーミスタ素子の抵抗値を取得し、サーミスタ素子の抵抗値に対応する温度を検出する。
【０１１２】
このように、半導体素子に流れる電流を検出するための電流検出用抵抗の第１の電位差を用いてサーミスタ素子の検出電圧を補正して、サーミスタ素子の抵抗値を正確に取得することにより、基板のノード数を削減しつつ、温度検出の精度を向上させることができる。
【０１１３】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【図１】
2017037780.tif 000003
【図２】
2017037780.tif 000004
【図３】
2017037780.tif 000005
【図４】
2017037780.tif 000006
【図５】
2017037780.tif 000007
【図６】
2017037780.tif 000008
【手続補正書】
【提出日】平成29年4月14日(2017.4.14)
【手続補正１】
【補正対象書類名】特許請求の範囲
【補正対象項目名】全文
【補正方法】変更
【補正の内容】
【特許請求の範囲】
【請求項１】
基板上に設けられた半導体素子であって、前記基板の出力ノードに接続された出力部と、前記基板の第１の制御ノードに接続された第１の入力部と、前記基板の第２の制御ノードに接続された第２の入力部と、前記基板の電源側ノードに接続された第１の駆動電流ノードと、前記基板の接地側ノードに接続された第２の駆動電流ノードと、を有する半導体素子と、
前記基板上に設けられ、一端が前記接地側ノードに接続され、他端が前記基板の検出ノードに接続され、前記基板の温度を検出するためのサーミスタ素子と、
一端が前記接地側ノードに接続され、他端が接地に接続された電流検出用抵抗と、
前記電流検出用抵抗の他端の第１の電位及び前記接地側ノードの第２の電位を検出し、前記第１の電位と前記第２の電位の第１の電位差に応じた第１の検出信号を出力する第１の電圧検出部と、
前記第１の検出信号に基づいて、第１の制御信号を前記第１の制御ノードを介して前記第１の入力部に出力し、且つ、第２の制御信号を前記第２の制御ノードを介して前記第２の入力部に出力して、前記半導体素子を制御する制御部と、
一端が基準電位に接続され、他端が前記検出ノードに接続された温度検出用抵抗と、
前記検出ノードの第３の電位に基づいて温度を検出し、検出した温度の情報を含む温度情報信号を出力する温度検出部と、を備え、
前記半導体素子は、
前記第１の駆動電流ノードである一端と、前記出力部に接続された他端と、前記第１の入力部であるゲートと、を有する第１のトランジスタと、
前記出力部に接続された一端と、前記第２の駆動電流ノードである他端と、前記第２の入力部であるゲートと、を有する第２のトランジスタと、を備え、
前記制御部は、
前記第１の検出信号に基づいて、第１の制御信号を前記第１の制御ノードを介して前記第１のトランジスタのゲートに出力して、前記第１のトランジスタを制御し、且つ、第２の制御信号を前記第２の制御ノードを介して前記第２のトランジスタのゲートに出力して、前記第２のトランジスタを制御し、
前記温度検出用抵抗の抵抗値は、前記電流検出用抵抗の抵抗値よりも、大きく、常温における前記サーミスタ素子の抵抗値は、前記温度検出用抵抗の抵抗値よりも、大きいことを特徴とする電力変換装置。
【請求項２】
前記温度検出部は、
前記検出ノードの前記第３の電位が入力され且つ前記第１の検出信号が入力され、
前記第３の電位と前記第１の電位差に基づいて前記サーミスタ素子の抵抗値を取得し、前記サーミスタ素子の抵抗値に対応する温度を検出する
ことを特徴とする請求項１に記載の電力変換装置。
【請求項３】
前記温度検出部は、
前記第３の電位と接地電位との電位差から前記第１の電位差を減算した第２の電位差を取得し、
前記基準電位と前記第３の電位との電位差を前記温度検出用抵抗の抵抗値で除算して前記サーミスタ素子に流れる電流の電流値を取得し、
前記第２の電位差を前記電流値で除算した値を前記サーミスタ素子の抵抗値として取得する
ことを特徴とする請求項２に記載の電力変換装置。
【請求項４】
前記接地側ノードの前記第２の電位及び前記検出ノードの前記第３の電位を検出する第２の電圧検出部をさらに備え、
前記温度検出部は、
前記第２の電圧検出部から前記第２及び第３の電位の情報を含む信号が入力され、
前記第３の電位と前記第２の電位とに基づいて前記サーミスタ素子の抵抗値を取得し、
前記サーミスタ素子の抵抗値に対応する温度を検出することを特徴とする請求項１に記載の電力変換装置。
【請求項５】
前記温度検出部は、
前記第３の電位と前記第２の電位との第２の電位差を取得し、
前記基準電位と前記第３の電位との電位差を前記温度検出用抵抗の抵抗値で除算して前記サーミスタ素子に流れる電流の電流値を取得し、
前記第２の電位差を前記サーミスタ素子に流れる電流の前記電流値で除算した値を前記サーミスタ素子の抵抗値として取得する
ことを特徴とする請求項４に記載の電力変換装置。
【請求項６】
前記電流検出用抵抗の他端の前記第１の電位及び前記検出ノードの前記第３の電位を検出する第２の電圧検出部をさらに備え、
前記温度検出部は、
前記第２の電圧検出部から前記第１及び第３の電位の情報を含む信号が入力され、
前記第１の電位と前記第３の電位に基づいて前記サーミスタ素子の抵抗値を取得し、前記サーミスタ素子の抵抗値に対応する温度を検出する
ことを特徴とする請求項１に記載の電力変換装置。
【請求項７】
前記温度検出部は、
前記第３の電位と前記第１の電位との電位差を取得し、
前記基準電位と前記第３の電位との電位差を前記温度検出用抵抗の抵抗値で除算して前記サーミスタ素子に流れる電流の電流値を取得し、
前記第３の電位と前記第１の電位との前記電位差を前記電流値で除算した値を前記サーミスタ素子の抵抗値として取得することを特徴とする請求項６に記載の電力変換装置。
【請求項８】
前記電流検出用抵抗の他端の前記第１の電位及び前記検出ノードの前記第３の電位を検出する第２の電圧検出部をさらに備え、
前記温度検出部は、
前記第２の電圧検出部から前記第１及び第３の電位の情報を含む信号が入力され且つ前記第１の検出信号が入力され、
前記第１の電位、前記第３の電位、及び前記第１の電位差に基づいて前記サーミスタ素子の抵抗値を取得し、
前記サーミスタ素子の抵抗値に対応する温度を検出することを特徴とする請求項１に記載の電力変換装置。
【請求項９】
前記温度検出部は、
前記第３の電位と前記第１の電位との電位差から前記第１の電位差を減算した第２の電位差を取得し、
前記基準電位と前記第３の電位との電位差を前記温度検出用抵抗の抵抗値で除算して前記サーミスタ素子に流れる電流の電流値を取得し、
前記第２の電位差を前記電流値で除算した値を前記サーミスタ素子の抵抗値として取得することを特徴とする請求項８に記載の電力変換装置。
【請求項１０】
前記制御部は、
前記第１の検出信号に基づいて前記電流検出用抵抗に流れる第１の電流を取得し、この第１の電流の値に基づいて、前記第１の制御信号を前記第１の制御ノードを介して前記第１のトランジスタのゲートに出力して、前記第１のトランジスタを制御し、且つ、前記第２の制御信号を前記第２の制御ノードを介して前記第２のトランジスタのゲートに出力して、前記第２のトランジスタを制御する
ことを特徴とする請求項１に記載の電力変換装置。
【請求項１１】
前記第１のトランジスタは、前記第１のトランジスタの一端であるドレインが前記電源側ノードに接続され、前記第１のトランジスタの他端であるソースが前記出力ノードに接続された第１のｎＭＯＳトランジスタであり、
前記第２のトランジスタは、前記第２のトランジスタの一端であるドレインが前記出力ノードに接続され、前記第２のトランジスタの他端であるソースが前記接地側ノードに接続された第２のｎＭＯＳトランジスタである
ことを特徴とする請求項１に記載の電力変換装置。
【請求項１２】
前記電源ノードは、電源電位に接続されていることを特徴とする請求項１に記載の電力変換装置。
【国際調査報告】
2017037780.tif 000009
2017037780.tif 000010
2017037780.tif 000011